(57)【要約】【課題】ボード（２０）面上に固定することができ、容易に外すことができないクリップ（５０）を提供することにある。【解決手段】共通の回動軸（ＣＬ１）まわりに互いに開閉する方向に回動する第１の挟持部（１）及び第２の挟持部（２）と、第１の挟持部（１）と第２の挟持部（２）とを閉方向に付勢する付勢手段（３）と、第１の挟持部（１）と第２の挟持部（２）とを、両者の成す角度（θ）が所定の角度（α）未満の状態から付勢手段（３）の付勢力に抗して開方向に回動させて成す角度が所定の角度（α）に達した際に、閉方向への回動を禁止する回動禁止手段（ＲＫ）と、を備えた。【選択図】図１
2009133409.tif 000002
【特許請求の範囲】
【請求項１】
共通の回動軸まわりに互いに開閉する方向に回動する第１の挟持部及び第２の挟持部と、
前記第１の挟持部と前記第２の挟持部とを閉方向に付勢する付勢手段と、
前記第１の挟持部と前記第２の挟持部とを、両者の成す角度が所定の角度以下の状態から前記付勢手段の付勢力に抗して開方向に回動させて前記成す角度が前記所定の角度に達した際に、前記閉方向への回動を禁止する回動禁止手段と、
を備えたクリップ。
【請求項２】
前記回動禁止手段による回動の禁止を解除する解除手段を備えたことを特徴とする請求項１記載のクリップ。
【請求項３】
請求項２に記載されたクリップをボードに形成された孔に挟持する、クリップを用いた挟持構造であって、
前記孔は、その一方向の幅が、少なくとも前記第２の挟持部の幅よりも広く、かつ、前記一方向に直交する方向の幅が、前記回動が禁止された状態の当該クリップにおける前記第１の挟持部の表面から前記第２の挟持部を含んで突出する部分を通過可能な幅で形成されており、
前記孔の一方向の幅に沿う縁部近傍の両面を、それぞれ前記第１の挟持部と前記第２の挟持部とにより前記付勢手段の付勢力で挟持して成ることを特徴とするクリップを用いた挟持構造。
【請求項４】
共通の回動軸まわりに互いに開閉する方向に回動する第１の挟持部及び第２の挟持部と、前記第１の挟持部と前記第２の挟持部とを閉方向に付勢する付勢手段と、前記第１の挟持部と前記第２の挟持部とを、両者の成す角度が所定の角度未満の状態から前記付勢手段の付勢力に抗して開方向に回動させて前記成す角度が前記所定の角度に達した際に、前記閉方向への回動を禁止する回動禁止手段と、を備えたクリップと、
前記第１の挟持部に取り付けられたカメラ部と、
を備えたクリップ付き撮像装置。
【請求項５】
前記クリップは、前記回動禁止手段による回動の禁止を解除する解除手段を備えたことを特徴とする請求項４記載のクリップ付き撮像装置。
【請求項６】
請求項５に記載されたクリップ付き撮像装置をボードに形成された孔に挟持する、クリップ付き撮像装置の固定構造であって、
前記孔は、その一方向の幅が、前記第２の挟持部の幅よりも広く、かつ、前記一方向に直交する方向の幅が、前記回動が禁止された状態の当該クリップにおける前記第１の挟持部から前記第２の挟持部を含んで突出する部分を通過可能な幅で形成されており、
前記孔の一方向の幅に沿う縁部近傍の両面を、それぞれ前記第１の挟持部と前記第２の挟持部とにより前記付勢手段の付勢力で挟持して成ることを特徴とするクリップ付き撮像装置の固定構造。
【請求項７】
前記ボードは、ＦＰＭＰＩの取り付け規格で規定された雌ねじ群に対して雄ねじで取り付け可能な孔を有していることを特徴とする請求項６記載のクリップ付き撮像装置の固定構造。
【発明の詳細な説明】
【技術分野】
【０００１】
本発明は、クリップ及びそのクリップを用いた挟持構造、並びに、クリップ付き撮像装置及びその固定構造に係る。
【背景技術】
【０００２】
書類などを挟んで保持することができるクリップは、使い勝手を向上させる改良が日々行われており、例えば、特許文献１に示すようなクリップとしての挟持構造に加えてピンを備え、オフィスのパーテションや連絡板に使用されるコルクボードなどの面上にそのピンを差し込むことで固定できるものが提案されている。
一方、インターネットを利用したリアルタイムの画像通信などに用いるため、モニター装置に取り付けてパーソナルコンピュータ（以下、ＰＣ）と接続する小型の撮像装置が近年普及してきている。
この撮像装置をモニター装置にとりつける取り付け手段として、クリップを用いたものが知られており、例えば、特許文献２に記載されたクリップ付きカメラがある。
【０００３】
【特許文献１】特開平８−９３７２４号公報
【特許文献２】特開平１１−１５３８３２号公報
【発明の開示】
【発明が解決しようとする課題】
【０００４】
一般的なクリップは、書類などの縁部を挟み込むものであり、縁部から引き抜く方向に力を加えると、外れてしまうものである。
また、パーテションボードやコルクボードのようなボード面上に着脱自在に取り付けるには、ボード側に磁性体を配設すると共にクリップ側にマグネットを設けて磁力で取り付けるか、ボード側を軟らかい材料のものとして特許文献１に記載されたようにピンを差し込むのが一般的である。
しかしながら、磁力で取り付けるものは汎用性に乏しく、また、ピンを用いるものは、尖っているピンの扱いに注意が必要であるため、気軽に取り扱えるクリップであることが望まれている。
【０００５】
一方、特許文献２に記載されたクリップ付きカメラも、モニター装置への取り付けにおいて、その画像表示部の枠体を挟み込むものであり、容易に外すことができるものである。
従って、使用中、不用意に身体が触れて落下させてしまったり、販売店での展示において来店者が勝手に外してしまうことが懸念される。
【０００６】
そこで、本発明が解決しようとする課題は、ボード面上に固定することができ、容易に外すことができないクリップ及びそのクリップを用いた挟持構造を提供することにある。
また、モニター装置に取り付けた際に、容易に外すことができないクリップ付き撮像装置及びその固定構造を提供することにある。
【課題を解決するための手段】
【０００７】
上記の課題を解決するために、本願発明は手段として次の１）〜７）の構成を有する。
１）  共通の回動軸（ＣＬ１）まわりに互いに開閉する方向に回動する第１の挟持部（１）及び第２の挟持部（２）と、
前記第１の挟持部（１）と前記第２の挟持部（２）とを閉方向に付勢する付勢手段（３）と、
前記第１の挟持部（１）と前記第２の挟持部（２）とを、両者の成す角（θ）が所定の角度（α）未満の状態から前記付勢手段（３）の付勢力に抗して開方向に回動させて前記成す角度が前記所定の角度（α）に達した際に、前記閉方向への回動を禁止する回動禁止手段（ＲＫ）と、
を備えたクリップ（５０）である。
２）  前記回動禁止手段（ＲＫ）による回動の禁止を解除する解除手段（９）を備えたことを特徴とする１）に記載のクリップ（５０）である。
３）  ２）に記載されたクリップ（５０）をボード（２０）に形成された孔（２１）に挟持する、クリップ（５０）を用いた挟持構造であって、
前記孔（２１）は、その一方向の幅（Ｗ２１）が、少なくとも前記第２の挟持部の幅（Ｗ３３）よりも広く、かつ、前記一方向に直交する方向の幅（Ｈ２１）が、前記回動が禁止された状態の当該クリップ（５０）における前記第１の挟持部（１）の表面（１ｂｍ）から前記第２の挟持部（２）を含んで突出する部分を通過可能な幅で形成されており、
前記孔（２１）の一方向の幅（Ｗ２１）に沿う縁部近傍の両面を、それぞれ前記第１の挟持部（１）と前記第２の挟持部（２）とにより前記付勢手段（３）の付勢力で挟持して成ることを特徴とするクリップ（５０）を用いた挟持構造である。
４）  共通の回動軸（ＣＬ１）まわりに互いに開閉する方向に回動する第１の挟持部（１）及び第２の挟持部（２）と、前記第１の挟持部（１）と前記第２の挟持部（２）とを閉方向に付勢する付勢手段（３）と、前記第１の挟持部（１）と前記第２の挟持部（２）とを、両者の成す角度（θ）が所定の角度（α）未満の状態から前記付勢手段（３）の付勢力に抗して開方向に回動させて前記成す角度が前記所定の角度（α）に達した際に、前記閉方向への回動を禁止する回動禁止手段（ＲＫ）と、を備えたクリップと、
前記第１の挟持部（１）に取り付けられたカメラ部（５３）と、
を備えたクリップ付き撮像装置（６０）である。
５）  前記クリップ（６０）は、前記回動禁止手段（ＲＫ）による回動の禁止を解除する解除手段（９）を備えたことを特徴とする４）に記載のクリップ付き撮像装置（６０）である。
６）  ５）に記載されたクリップ付き撮像装置（６０）をボード（２）に形成された孔（２１）に挟持する、クリップ付き撮像装置（６０）の固定構造であって、
前記孔（２１）は、その一方向の幅（Ｗ２１）が、少なくとも前記第２の挟持部（２）の幅（Ｗ３３）よりも広く、かつ、前記一方向に直交する方向の幅（Ｈ２１）が、前記回動が禁止された状態の当該クリップにおける前記第１の挟持部（１）の表面（１ｂｍ）から前記第２の挟持部（２）を含んで突出する部分を通過可能な幅で形成されており、
前記孔（２１）の一方向の幅（Ｗ２１）に沿う縁部近傍の両面を、それぞれ前記第１の挟持部（１）と前記第２の挟持部（２）とにより前記付勢手段（３）の付勢力で挟持して成ることを特徴とするクリップ付き撮像装置（６０）の固定構造である。
７）  前記ボード（２０）は、ＦＰＭＰＩの取り付け規格で規定された雌ねじ群（７０ａ）に対して雄ねじ（６２）で取り付け可能な孔（６１ａ）を有していることを特徴とする６）に記載のクリップ付き撮像装置（６０）の固定構造である。
【発明の効果】
【０００８】
本発明のクリップ及びそのクリップを用いた挟持構造によれば、クリップを、ボード面上に固定することができ、容易に外すことができない、という効果を奏する。
また、本発明のクリップ付き撮像装置及びその固定構造によれば、モニター装置に取り付けた際に、容易に外すことができない、という効果を奏する。
【発明を実施するための最良の形態】
【０００９】
本発明の実施の形態を、好ましい実施例により図１〜図１０を用いて説明する。
【００１０】
図１は、実施例のクリップ５０の外観斜視図である。
【００１１】
このクリップ５０は、概ね角板状に形成された本体部１と、この本体部１に対して回動軸ＣＬ１回りに（矢印Ｄ１方向）回動自在とされた挟持部２と、を備えている（本体部１と挟持部２との成す角度をθとする）。
この回動において、後述する捩りコイルばね３により、挟持部２は、常に閉じる方向に付勢されている。従って、本体部１は挟持部２と共に挟持部として機能する。
挟持部２は、その端部２ｔ側が本体部１に当接して回動が規制された閉位置Ａと、本体部１に対し捩りコイルばね３の付勢力に抗して略直交する方向まで開いた開位置Ｂとの間の範囲を回動するように構成されている。
そして、開位置Ｂに至った際に閉位置Ａへの回動は、詳細を後述するロック機構ＲＫにより禁止される。
【００１２】
まず、本体部１について、図２を用いて説明する。
この図２は、本体部１のみを挟持部２側から見た斜視図である。
【００１３】
この本体部１は、図２の上下方向を長手とされた箱状の筐体１ａと、その開口側を塞ぐ蓋１ｂとが組み合わされて構成されている。
筐体１ａ及び蓋１ｂは、樹脂の射出成形により形成される。
図１では、蓋１ｂを、筐体１ａに対して四隅をねじ１ｃでねじ止めすることで一体化している。もちろん爪係合のいわゆるスナップフィットで一体化してもよい。
【００１４】
蓋１ｂには、長手に沿って互いに平行な外側面１ｄ１，１ｅ１を有して突出する一対のリブ１ｄ，１ｅが設けられている。その外側面１ｄ１，１ｅ１の間隔をＷ１とし、内側面の間隔をＷ２としておく。
このリブ１ｄ，１ｅには、蓋部１ｂの表面１ｂｍから距離Ｈ１だけ離れた位置に回動軸ＣＬ１が設定されており、その回動軸ＣＬ１を軸とする軸孔１ｄ２，１ｅ２が形成されている。
また、回動軸ＣＬ１よりも図の上方側であって、蓋１ｂに近い位置に、ロック軸ＣＬ２が設定されており、リブ１ｄ，１ｅには、このロック軸ＣＬ２を軸とするロック軸孔１ｄ３，１ｅ３が形成されている。
【００１５】
一方、リブ１ｄ，蓋１ｂ，及び筐体１ａには、それらを跨るようにえぐれたノブ収容部４が設けられている。
このノブ収容部４は、リブ１ｄについては、その板厚を薄くする薄板部１ｄ４として形成されており、ロック軸孔１ｄ３は、この薄板部１ｄ４に設けられている。
このノブ収容部４は、後述するロック解除ボタン９がロック軸ＣＬ２方向に所定のストロークで往復移動するための空間である。
【００１６】
一対のリブ１ｄ，１ｅの図２における下方には、リブ１ｄ側に偏った位置に、長手方向に延在する窪み５Ａ１と袋部５Ａ２とを有するばね腕収容部５Ａが設けられている。
この袋部５Ａ２は、後述するように、その袋中に捩りコイルばね３の一方の腕３ａを収めて保持するものである。
【００１７】
また、腕収容部５Ａに隣接して、蓋１ｂの表面１ｂｍに直交する方向に可撓性を有する爪６が形成されている。
この爪６の先端部には、縦断面が三角形状なる頭部６ａが、その先端側を蓋１ｂの表面１ｂｍから突出されるように形成されている。
また、蓋１ｂの下端（図２の下方）部には、一対の突起７ａ，７ｂが形成されている。
これは、被挟持部材の当てとなるものである。
【００１８】
次に、挟持部２，捩りコイルばね３，及びシャフト８について図３を用いて説明する。
【００１９】
挟持部２は、樹脂の射出形成により形成されており、図３の上下方向を長手とされた幅Ｗ３３なる板状の基部２ａと、この基部２ａから長手に沿って互いに平行な外側面２ｄ１，２ｅ１を有して突出する一対のリブ２ｄ，２ｅが設けられている。その外側面２ｄ１，２ｅ１の間隔をＷ３としておく。Ｗ３はＷ２よりわずかに小さくなるように設定される。
このリブ２ｄ，２ｅには、基部２ａの表面２ａｍから距離Ｈ２だけ離れた位置に回動軸ＣＬ１が位置するように設定されており、その回動軸ＣＬ１を軸とする軸孔２ｄ２，２ｅ２が形成されている。
挟持部２と本体部１との組み合わせにおいて、この回動軸ＣＬ１は、本体部１と共用される。
【００２０】
また、リブ２ｄには、挟持部２を、本体部１に対して回動軸ＣＬ１を合致させ、さらに、その回動軸ＣＬ１回りに回動させた際の、ロック軸ＣＬ２の軌跡に対応する円弧状に、法線方向幅ｄ１なるスリット２ｆが形成されている。
リブ２ｅの外周半径Ｒ２は、リブ２ｆのスリット２ｆの内径Ｒ１よりもさらに所定量小さく設定されている。
【００２１】
２つのリブ２ｄ，２ｅの図３における下方には、リブ２ｅ側に偏った位置に、長手方向に延在する窪み５Ｂ１と袋部５Ｂ２とを有するばね腕収容部５Ｂが設けられている。
この袋部５Ｂ２は、その袋中に捩りコイルばね３の一方の腕３ｂを収めて保持するものである。
また、基部２ａの端部２ｔには、突起７ｃが形成されている。
この突起７ｃは、被挟持部材の当てとなるものである。
【００２２】
シャフト８は、例えばステンレス棒で形成され、次に説明する捩りコイルばね３が挿通されてリブ２ｄ，２ｅにおける軸孔２ｄ２，２ｅ２に嵌着される。
捩りコイルばね３は、ばね線材で形成され、コイル部３ａと、その両端からそれぞれ延出する腕３ａ，３ｂを備えている。
【００２３】
挟持部２と本体部１とを組み合わせた際に、コイル部３ａにシャフト８が挿通されて回動軸ＣＬ１上に配置され、腕３ａは、本体部１のばね腕収容部５Ａに保持され、腕３ｂは、挟持部２のばね腕収容部５Ｂに保持される。
【００２４】
次に、ロック機構ＲＫを構成するロック解除ボタン９などについて、図４を用いて説明する。
この図４において、ロック軸ＣＬ２は、本体部１で設定されたロック軸ＣＬ２に沿って配設される。
【００２５】
まず、ロック解除ボタン９は、平板状のボタン部９ａ１とこのボタン部９ａ１からリブ状に突出するリブ部９ａ２とを有して概ねＴ字状に形成された本体部９ａと、リブ部９ａ２の先端部に矩形平板状に張り出して設けられたプレート部９ｂと、そのプレート部９ｂ内の本体部９ａと干渉しない位置に設定されたロック軸ＣＬ２に沿って本体部９ａとは反対側に延びる軸部９ｃと、を有して、樹脂の射出成形により形成されている。もちろん、金属の削りだしで形成されていてもよく、材料や形成方法は限定されない。
【００２６】
このロック解除ボタン９は、プッシュバー１０と組み合わされる。
すなわち、プッシュバー１０は、円筒状のバー本体部１０ａと、その一端面から延出する棒軸部１０ｂと、を有して形成されている。バー本体部１０ａの他端面には、ロック解除ボタン９の軸部９ｃが挿入される有底穴１０ａが形成されている。
また、プッシュバー１０の棒軸部１０ｃには、圧縮コイルばね１１が装着される。この圧縮コイルばね１１の外径は、バー本体部１０ａの外径と同じかそれより小さく設定されている。
【００２７】
上述した各部材の組み付けについて図５及び図６を用い、図１乃至図４を参照しながら説明する。
図５は図１における閉位置Ａの状態を、図６は図１における開位置Ｂの状態を示している。
【００２８】
図５の閉位置Ａの状態において、プッシュバー１０の棒軸部１０ｃには圧縮コイルばね１１が装着されており、棒軸部１０ｃは、本体部１のリブ１ｅのロック軸孔１ｅ３に挿入されている。
また、ロック解除ボタン９は、その軸部９ｃが、本体部１のリブ１ｄに設けられたロック軸孔１ｄ３及び挟持部２のスリット２ｆ（図６参照）に挿通されてプッシュバー１０の有底穴１０ｃに挿入されている。
この軸部９ｃと有底穴１０ｃとは接着剤により固定されている。
従って、ロック解除ボタン９とプッシュバー１０とは一体化されている。
また、この固定において、軸部９ｃの先端は有底孔１０ｃの底面に当接しており、その状態で、ロック解除ボタン９のボタン部９ａ１の表面９ａ１ａが、筐体１ａの側面とほぼ同面となるように設定されている。
【００２９】
シャフト８は、一部上述の繰り返しとなるが、図５の手前側から、本体部１のリブ１ｄにおける軸孔１ｄ２，挟持部２のリブ２ｄにおける軸孔２ｄ２，捩りコイルばね３，リブ２ｅの軸孔２ｅ２，及びリブ１ｄの軸孔１ｄ２の順に挿通されている。そして、このシャフト８は、軸孔２ｄ２、２ｅ２に対して遊嵌状態とされ、リブ１ｄ，１ｅにおける軸孔１ｄ２，１ｅ２に、圧入やＥ形止め輪（Ｅリング）による抜け止めを施されて取り付けられている。
【００３０】
また、捩りコイルばね３の一方の腕３ａは、本体部１のばね腕収容部５Ａにおける袋部５Ａ２内に収められて保持され、他方の腕３ｂは、挟持部２のばね腕収容部５Ｂにおける袋部５Ｂ２に収められて保持されている。
捩りコイルばね３は、この閉位置Ａの状態で本体部１と挟持部２とをさらに接近させる方向に付勢しており、この付勢力が、このクリップ５０が被挟持部材を挟む挟持力となる。
従って、手などにより、この付勢力に抗する力を与えることで挟持部２を開状態にすることは可能である。
【００３１】
そこで、この付勢力に抗して、挟持部２を開位置Ａから図５のＤ５方向に回動させ、本体部１と挟持部２とのなす角度が約９０°となる開位置Ｂとするまでの経過について、図５及び図６を用いて説明する。
図６においては、理解容易のため、シャフト８，捩りコイルばね３，及びリブ１ｅ，２ｅを削除して示している。
【００３２】
図５においては、スリット２ｆに、ロック解除ボタン９の軸部９ｃが挿通されている。
従って、圧縮コイルばね１１の伸長方向の付勢力により、バー本体部１０ａは、リブ２ｄをリブ１ｄに押し付けている。
従って、挟持部２の回動に伴い、バー本体部１０ａとリブ２ｄとリブ１ｄとは互いに摺動しつつ回動が行われる。
【００３３】
ある程度回動が進むと、スリット２ｆに沿って摺動していた軸部９ｃが相対的にスリット２ｆの端部２ｆ１を越えて、スリット２ｆから開放される（図６参照）。
すると、バー本体部１０ａの端面とリブ２ｄの内側面との当接も解除され、バー本体部１０ａは、圧縮コイルばね１１の付勢力に従ってリブ１ｄに向かって矢印Ｄ６方向に移動し、リブ１ｄの内側面に当接する。
【００３４】
この移動により、バー本体部１０ａと一体化されているロック解除ボタン９も矢印Ｄ６方向に移動して、その表面９ａ１は、筐体１ａの外面から突出して押し込み可能な状態となる。
そして、この図６の開位置Ｂになると、挟持部２の閉位置Ａに向けての回動が、リブ２ｄがバー本体部１０ａの側面に当接することで禁止される。
従って、挟持部２は、本体部１に対して所定の角度α（この実施例において約９０°）において、それ未満の角度への回動が禁止された状態で維持される。
【００３５】
このロックがかかる角度は、スリット２ｆの端部２ｆ１の位置を、挟持部２の基部２ａの表面２ａｍからどれだけ離すかで自由に設定することができる。
この離す距離は、図３においてＨ３で示される。
【００３６】
ロックの解除は、開位置Ｂにおいて筐体１ａの表面から突出したロック解除ボタン９を、圧縮コイルばね１１の付勢力に抗して押し込むことで実行される。
すなわち、ロック解除ボタン９を押し込むと、圧縮コイルばね１１を圧縮させつつ軸部９ｃを介してバー本体部１０ａがリブ１ｅ側に移動する。
【００３７】
バー本体部１０ａが所定量移動すると、その側面へのリブ２ｄの当接が解除される。これがロック解除のタイミングであり、これにより挟持部２は、捩りコイルばね３の付勢力により閉位置Ａに向けて回動する。
【００３８】
このように、実施例のクリップは、本体部１と挟持部２とが閉じた閉位置Ａから開いた開位置Ｂに両者を相対回動させると、両者のなす角度θが所定の角度αにおいてロックが作用して閉位置Ｂ方向への回動が禁止されその状態で維持されるものである。
従って、以下に説明する、面上に設けられた孔への取り付け（挟着）を行うことができる。
【００３９】
図７は、例えば、ボードの一例であるパーテション２０の面上に設けられた取り付け孔２１に、実施例のクリップ５０を取り付ける作業を説明する図である。
【００４０】
ここで、図７（ａ）に示すように、取り付け孔２１は、その開口幅Ｗ２１を、クリップ５０における本体部１以外の部分の最大幅（図７におけるＷ１）よりも広く、また、開口高さＨ２１を、本体部１から突出している部分（挟持部２やリブ２ｄ，２ｅなど）の長手方向の最大長さＨ１よりも大きく形成しておく。
開口幅Ｗ２１は、少なくとも挟持部２の幅Ｗ３３よりも広く設定されている。
また、この条件内であれば、取り付け孔２１は、横に細長いスリット状でもよい。
【００４１】
まず、図７（ａ）に示すように、クリップ５０を、開位置Ｂとしてロック状態とする。そして、挟持部２の先端２ｔ側から取り付け孔２１に挿入する。
【００４２】
図７（ｂ）は、その挿入途中の状態を示している。
【００４３】
そして、図７（ｃ）に示すように、本体部１の蓋１ｂの表面１ｂｍが、パーテション２０の表面２０ｍにほぼ当接するまで挿入してロック解除ボタン９を押し込む。
このロック解除ボタン９の押し込みによって挟持部２の回動ロックが解除され、挟持部２は、捩りコイルばね３の付勢力に従って本体部１側に回動し、パーテション２０を挟み込む。この状態を図（ｃ−１）に断面図として示す。
従って、実施例のクリップ５０は、面上に設けられた孔に対して取り付けることができる。
この取り付け構造は、従来のような被取り付け部材の縁部に取り付ける構造とは全く異なる取り付け構造であり、外部から付与される引き抜き力などによって容易に外れるものではない。
【００４４】
ここで、取り付け孔２１の開口寸法とクリップ５０の外形寸法とにおいて、以下の設定とすると、更なるメリットが得られるので説明する。
具体的には、取り付け孔２１の開口幅Ｗ２１よりも本体部１の幅Ｗ５１を大きくし、かつ、本体部１の最上端位置を、本体部１からの突出部分の内、取り付け孔２１内に位置する範囲の最上端位置よりも高くしておく。
この高さの差は、図７（ｃ−１）におけるΔＤで示される。
もちろん、取り付け孔２１の開口高さは、図７（ｃ−１）におけるΔＤの下側基準位置Ｐから、挟持のためにパーテション２０に当接する本体部１及び挟持部２の位置のいずれか高い方までの距離Ｈ７、よりも短く、挟持可能な範囲内で設定しておく。
【００４５】
このような設定にしておくと、図７（ｄ）に示すように、図７（ｃ−１）に至った後に、更にクリップ５０全体を、パーテション２０を挟んだまま上方に移動させることで、本体部１によって取り付け孔２１の開口を隠すことができる。
この状態を図７（ｅ）に示す。
【００４６】
さらに、図１などに示すように、本体部１の蓋１ｂに可撓性の爪６を設けておくと、この爪６は、図７（ｃ−１）の挟持状態では、内部に向けて押し込まれ撓んで隠れているものの、クリップ５０を上方にずらして取り付け孔を隠す際には、所定の位置に達すると取り付け孔２１に入り込み、クリック感を発生させる。
従って、使用者は、取り付け孔２１に対してクリップ５０が所定の取り付け位置にあるか否かを把握することができる。
また、爪６の頭部６ａの傾斜をきつく（パーテション２０の表面２０ｍとなす角度を大きく）形成することにより、クリック感に加えて嵌り込んだ後の引き下げに対して抗力を発揮させることができる。これによって、地面側へのずり落ちを効果的に防止することができる。
【００４７】
上述した構造を有している実施例のクリップ５０は、パーテション２０の表面２０ｍに対して、あたかも直接面付けで取り付けられているように装着される。
このように、実施例のクリップとそのクリップを用いた挟持構造によれば、クリップをボードの面上に固定でき、また、固定したクリップは容易に外れるものではないばかりでなく、クリップの取り付け構造を見た目でわからないようにできるので、意図せず他人に外されることがない。
【００４８】
次に、上述したようにパーテション２０に取り付けたクリップ５０を取り外す作業について図８を用いて説明する。
【００４９】
図８（ａ）は、図７（ｅ）に相当する。取り付け孔２１は、クリップ５０の本体部１に覆われて隠れている。
ここから、図８（ｂ）に示すように、クリップ５０全体を、パーテション２０を挟持させたまま下方に引き下げる。
次に、図８（ｃ）に示すように、本体部１の下方を手で掴み〔２〕の方向に回動させつつ、〔１〕のようにパーテション２０から引き離す。
本体部１をさらに回動させると、挟持部２に対して所定の角度となった時点でロック機構ＲＫが作動し、本体部１と挟持部２とは所定の角度以下にならないように維持される。
この状態で、図８（ｄ）に示すように、挟持部２を取り付け孔２１から引き抜くことで、クリック５０は、パーテション２０から完全に取り外すことができる。
【００５０】
以上詳述した実施例のクリップ５０は、パーテションなどのボード２０と本体部１との間に書類やメモなどのボード２０以外の被挟持物５１を挟んでおくことができる〔図９（ａ）参照〕。
また、本体部１にフック５２を形成しておけば、壁掛けフックとしても利用することができる〔図９（ｂ）参照〕
また、本体部１の内部に小型のカメラ５３を搭載すれば、定点観測用や監視用途としてのカメラ装置として利用することができる〔図９（ｃ）参照〕。
【００５１】
このカメラ５３を、本体部１からフレキシブルパイプ５４などにより連結してクリップ付き撮像装置６０としてもよい〔図９（ｄ）参照〕。
この場合は、カメラ５３と外部とを連結するケーブル５３ａの逃げとして、挟持部２にケーブルスリット２ｓを形成しておくとよい〔図９（ｅ）参照〕
【００５２】
この図９（ｄ）で示した、クリップ付き撮像装置６０は、上述した取り付け構造を用いて以下に説明するようにモニター装置に固定することができる。
【００５３】
図１０（ａ）は、実施例のクリップ付き撮像装置６０をモニター装置７０に固定した状態を正面側から見た斜視図であり、図１０（ｂ）は、背面側から見た斜視図である。
【００５４】
このモニター装置７０は、液晶パネル７０ｅを用いた画像表示装置であり、その液晶パネル７０ｅを内蔵した本体部７０Ａと、それを支える台座部７０Ｂとを有して構成されている。
本体部７０Ａの背面には、オプション機器などを取り付けるための雌ねじ７０ａが複数箇所、雌ねじ群として設けられている。
この雌ねじ群は、一般的に、液晶ディスプレイの標準化団体であるＶＥＳＡ（Ｖｉｄｅｏ  Ｅｌｅｃｔｒｏｎｉｃｓ  Ｓｔａｎｄａｒｄｓ  Ａｓｓｏｃｉａｔｉｏｎ）で規定された規格ＦＰＭＰＭＩ（Ｆｌａｔ  Ｐａｎｅｌ  Ｍｏｎｉｔｏｒ  Ｐｈｙｓｉｃａｌ  Ｍｏｕｎｔｉｎｇ  Ｉｎｔｅｒｆａｃｅ）に準拠して設けられている。
この雌ねじ群のねじ呼びや位置に合わせた孔６１ａを有するパネル６１を用意し、これを本体部７０Ａにねじ６２により固定する。
【００５５】
このパネル６１には、その上方であって、本体部７０Ａに固定した際にその上方に突出する部分に、取り付け孔６１ｂが形成されている。この取り付け孔６１ｂは、上述したパーテション２０における取り付け孔２１に相当するものである。
この取り付け孔６１ｂに、実施例のクリップ５０を搭載したクリップ付き撮像装置６０を上述の方法により取り付けることができる。
【００５６】
これにより、このクリップ付き撮像装置６０は、従来のように、画面枠の縁部に挟み込んで取り付けられるものではないので、外部から付与される引き抜き力などによって容易に外れるものではない。
また、パネル６１の取り付け孔６１ｂを隠して取り付けられるので、外観品位も大変良好である。また、例えば、店舗に展示した場合にも、パネル６１の表面６１ｍ上にあたかも直接面付けで取り付けられているように見え、来店者にはその取り付け構造がわからないので、このクリップ付き撮像装置６０は勝手に外されてしまうことがない。
【００５７】
本発明の実施例は、上述した構成及び手順に限定されるものではなく、本発明の要旨を逸脱しない範囲において変形例としてもよいのは言うまでもない。
実施例で説明した図５において、挟持部２の端部２ｔに、二点鎖線Ｆ内に示すようにローラ１２を設けてもよい。これにより、取り付け孔２１を挟持後にその孔を隠す移動が容易になる。特に、取り付けるパーテション２０などのボードの表面が粗い場合には有効である。
このローラ１２は、本体部１側に設けてあってももちろんよい。
【図面の簡単な説明】
【００５８】
【図１】本発明のクリップの実施例を示す斜視図である。
【図２】本発明のクリップの実施例における本体部を説明するための斜視図である。
【図３】本発明のクリップの実施例における挟持部などを説明するための斜視図である。
【図４】本発明のクリップの実施例におけるロック機構の要部を説明するための図である。
【図５】本発明のクリップの実施例の要部を説明するための図である。
【図６】本発明のクリップの実施例の要部を説明するための他の図である。
【図７】本発明のクリップの実施例をパーテション面へ取り付ける作業を説明するための図である。
【図８】本発明のクリップの実施例を取り付けたパーテション面から取り外す作業を説明するための図である。
【図９】本発明のクリップの実施例に対する変形例と、本発明のクリップ付き撮像装置の実施例と、を説明するための図である。
【図１０】本発明のクリップ付き撮像装置をモニター装置に固定するための固定構造を説明するための図である。
【符号の説明】
【００５９】
１  本体部
１ａ  筐体
１ｂ  蓋
１ｂｍ  表面
１ｃ  ねじ
１ｄ，１ｅ  リブ
１ｄ１，１ｅ１  外側面
１ｄ２，１ｅ２  軸孔
１ｄ３，１ｅ３  ロック軸孔
２  挟持部
２ａ  基部
２ａｍ  表面
２ｄ，２ｅ  リブ
２ｄ１，２ｅ１  外側面
２ｄ２，２ｅ２  軸孔
２ｆ  スリット
２ｆ１  端部
２ｓ  ケーブルスリット
２ｔ  端部
３  捩りコイルばね
３ａ  腕
４  ノブ収容部
５Ａ，５Ｂ  ばね腕収容部
５Ａ１，５Ｂ１  窪み
５Ａ２，５Ｂ２  袋部
６  爪
６ａ  頭部
７ａ，７ｂ，７ｃ  突起
８  シャフト
９  ロック解除ボタン
９ａ１  ボタン部
９ａ１ａ  表面
９ａ２  リブ部
９ｂ  プレート部
９ｃ  軸部
１０  プッシュバー
１０ａ  バー本体部
１０ｂ  棒軸部
１０ｃ  有底穴
１１  圧縮コイルばね
２０  パーテション（ボード）
２１  取り付け孔
５０  クリップ
５１  被挟持物
５２  フック
５３  カメラ
５３ａ  ケーブル
５４  フレキシブルパイプ
６０  クリップ付き撮像装置
７０  モニター装置
７０ｅ  液晶パネル
７０Ａ  本体部
７０Ｂ  台座部
Ａ  閉位置
Ｂ  開位置
ＣＬ１  回動軸
ＲＫ  ロック機構
ｄ１  （スリットの）幅
【図１】
2009133409.tif 000003
【図２】
2009133409.tif 000004
【図３】
2009133409.tif 000005
【図４】
2009133409.tif 000006
【図５】
2009133409.tif 000007
【図６】
2009133409.tif 000008
【図７】
2009133409.tif 000009
【図８】
2009133409.tif 000010
【図９】
2009133409.tif 000011
【図１０】
2009133409.tif 000012